(57)【要約】  縦方向中心線をすると共に、湾曲した脚開口部の一部分同士によって両側が境界付けられたクロッチ部分を有する下着内で着用されることに適合した吸収性物品を正確に配置するための吸収性物品の方法。吸収性物品は、主要本体部分を備え、主要本体部分は、液体透過性身体側表面、液体不透過性衣類側表面、及び身体側表面と衣類側表面との間に位置する吸収性コアを備える。吸収性物品は、身体側表面から目視できる少なくとも１つの指標マーカーを備え、指標マーカーは、湾曲した脚開口部など、下着の特定機構に関する吸収性物品の適切な位置合わせを示すように配置される。
2008500107.tif 000002
【特許請求の範囲】
【請求項１】
縦方向中心線を有すると共に、湾曲した脚開口部の一部分同士により両側が境界付けられたクロッチ部分を有する下着内で着用されることに適合し、主要本体部分を備えた吸収性物品であって、前記主要本体部分が、液体透過性身体側表面、液体不透過性衣類側表面、及び前記身体側表面と前記衣類側表面との間に位置する吸収性コアを備え、 
ａ．前記身体側表面から目視できる少なくとも１つの指標マーカーであって、前記湾曲した脚開口部に対する当該吸収性物品の適切な位置合わせを示すように配置された指標マーカーを特徴とする吸収性物品。
【請求項２】
前記吸収性物品が女性用衛生物品であり、前記指標マーカーが、印刷したマーク、彩色したマーク、目視できるしるし、目視できる線分、触知できる領域、折り目、ひだ、ノッチ、デボス（凹型押し）、エンボス（凸型押し）、及びこれらの組み合わせより成る群から選択される請求項１に記載の吸収性物品。
【請求項３】
前記吸収性物品が、前記縦方向中心線に垂直な横方向中心線を備えると共に、前記縦方向中心線又は前記横方向中心線の少なくとも一方について対称でない請求項１又は２に記載の吸収性物品。
【請求項４】
縦方向中心線と、前記縦方向中心線に垂直な横方向中心線とを有すると共に、前記横方向中心線について対称でなく、湾曲した脚開口部の一部分同士により両側が境界付けられたクロッチ部分を有する下着内で着用されることに適合した、主要本体部分を備える吸収性物品であって、前記主要本体部分が、液体透過性身体側表面、液体不透過性衣類側表面、及び前記身体側表面と前記衣類側表面との間に位置する吸収性コアを備え、
ａ．前記吸収性物品の縦方向縁部から横方向外側に延出する第１フラップ及び第２フラップであって、各フラップが、前記湾曲した脚開口部の一部分の上に折り畳まれることに適合した第１フラップ及び第２フラップと、
ｂ．前記身体側表面から目視できる少なくとも１つの指標マーカーであって、前記湾曲した脚開口部に対する当該吸収性物品の適切な位置合わせを示すように配置され、少なくとも約１．５の幅に対する長さの割合を有すると共に、縦方向軸線から約１０°〜約３０°傾斜した向きに配置され、印刷したマーク、彩色したマーク、目視できるしるし、目視できる線分、触知できる領域、折り目、ひだ、ノッチ、デボス（凹型押し）、エンボス（凸型押し）、及びこれらの組み合わせより成る群から選択される指標マーカーとを特徴とする吸収性物品。
【請求項５】
湾曲した脚開口部の一部分同士により両側が境界付けられたクロッチ部分を有する下着の当該クロッチ部分に吸収性物品を正確に配置する方法であって、
ａ．前記身体側表面から目視できる少なくとも１つの指標マーカーを有する吸収性物品であって、前記指標マーカーが、前記湾曲した脚開口部に対する当該吸収性物品の適切な位置合わせを示すように配置された吸収性物品を用意する工程と、
ｂ．前記少なくとも１つの指標マーカーが、前記湾曲した脚開口部の少なくとも１つの脚弾性体と位置合わせされるように、前記吸収性物品を前記クロッチ部分内で位置決めする工程と、
ｃ．前記物品を前記下着の前記クロッチ部分に貼付する工程とを特徴とする方法。
【請求項６】
前記脚開口部の脚弾性体によって着用者の両脚がそれぞれ取り囲まれることにより下着が着用者上にある間に行われる請求項５に記載の方法であって、
ａ．前記両脚を十分に広げることにより、前記吸収性物品が前記位置決め工程（ｂ）で位置決めされ得るように、前記下着の前記クロッチ部分を広げた状態で保持する工程を更に含む方法。
【請求項７】
吸収性物品用パッケージであって、湾曲した脚開口部の一部分同士により両側が境界付けられたクロッチ部分を有する下着内で前記吸収性物品を適切に配置するための説明を含み、適切な配置のための前記説明が、前記湾曲した脚開口部に対する前記吸収性物品の適切な位置合わせを示すことを特徴とするパッケージ。
【請求項８】
前記説明が、その外側表面上にある請求項７に記載のパッケージ。
【請求項９】
前記説明が、その中に封入されている請求項７又は８に記載のパッケージ。
【請求項１０】
複数個の吸収性物品を含む請求項７〜９のいずれかに記載のパッケージ。
【発明の詳細な説明】
【技術分野】
【０００１】
本発明は、使い捨て吸収性製品に関し、より具体的には、使い捨て吸収性製品と、女性の下着内で着用されることを意図する使い捨て吸収性製品を配置及び位置決めする方法とに関する。
【背景技術】
【０００２】
生理用ナプキンは、女性により、主にその月経期間中に使用されて、経血及び他の膣からの排泄物を吸収し、閉じ込めて、衣類を汚れから保護する。生理用ナプキンは、典型的には、粘着剤取り付け手段を有し、ユーザの下着、通常はパンティーのクロッチ領域に、ナプキンを一時的に接着する。
【０００３】
吸収性物品を下着内に配置するとき、物品が、下着のクロッチ部分に対して正確に位置決めされることが多くの場合重要である。吸収性物品の不適切な位置決めは、結果として、体からの排泄物が吸収性物品に入り込む代わりに、着用者の衣類又は下着に接触することがある。例えば、吸収性物品が、下着のあまりにも前側に配置された場合、下着の後方部分は吸収性物品で覆われず、その結果、経血などの流体が、下着を汚すことがある。前側で幅が狭く、後ろ側で幅広である吸収性物品や、もしくは吸収性物品が横方向中心線について対称でなく、吸収性物品が適切な配置の良好な位置決めを提供しないなど、吸収性物品が非対称である時、問題は悪化する。更に、製品が、クロッチ領域で着用者の下着の縁部を包む及び／又は物品を下着に貼付することを意図する、「ウイング」又は「フラップ」と一般に称されるものを有する場合、物品の置き間違いは、結果として、折り目が不十分になり、また時期尚早に脱離することがある。
【０００４】
吸収性物品の大きさを変えると、不適切な配置の問題を軽減する一助となることがある。しかし、物品の長さなど、大きさを増大すると、費用もまた増大し、その結果、この解決方法の商業的な魅力がなくなる。
【発明の開示】
【発明が解決しようとする課題】
【０００５】
それ故に、ユーザの下着内で適切な配置及び位置決めが容易になるように設計された、生理用ナプキン又はパンティライナーなど、女性用衛生物品の必要性が、取り組まれずに残っている。
【０００６】
加えて、生理用ナプキンなど、女性用衛生製品をユーザの下着内に適切に配置及び位置決めする方法の必要性が、取り組まれずに残っている。
【０００７】
更に、吸収性物品がその縦方向中心線及び／又は横方向中心線について対称でないとき、下着内に吸収性物品を適切に配置及び位置決めする手段の必要性が、取り組まれずに残っている。
【０００８】
更に、女性用衛生製品が、その縦方向中心線及び／又は横方向中心線について対称でないとき、生理用ナプキンなど、女性用衛生製品を下着内に適切に配置及び位置決めする方法の必要性が、取り組まれずに残っている。
【課題を解決するための手段】
【０００９】
縦方向中心線をすると共に、湾曲した脚開口部の一部分同士により両側が境界付けられたクロッチ部分を有する下着内で着用されることに適合した吸収性物品が開示される。吸収性物品は、主要本体部分を備え、主要本体部分は、液体透過性身体側表面、液体不透過性衣類側表面、及び身体側表面と衣類側表面との間に位置する吸収性コアを備える。吸収性物品は、身体側表面から目視できる少なくとも１つの指標マーカーを備え、指標マーカーは、湾曲した脚開口部など、下着の特定機構に関する吸収性物品の適切な位置合わせを示すように配置される。湾曲した脚開口部の一部分同士により両側が境界付けられたクロッチ部分を有する下着のクロッチ部分に、吸収性物品を正確に配置する方法もまた、開示される。
【発明を実施するための最良の形態】
【００１０】
本発明の吸収性物品の１つの実施形態である生理用ナプキン１０は、パンティライナーなどであってもよく、図１の部分的に表面を切り取った平面図と図２の断面図とに示されている。好ましい実施形態は、生理用ナプキン又はパンティライナーなど、女性用衛生物品である。本発明は、生理用ナプキンの特に好ましい実施形態で開示されるものの、説明される発明は、パンティライナーとして考えられてもよく、また生理用ナプキンに関する下記の全ての説明は、同様にパンティライナーに当てはめられてもよく、その違いは、種類よりも程度の違いである。本発明はまた、成人用失禁用具、肛門の排泄物用パッド、陰唇間パッド、又は下着のクロッチ部分に適切に配置及び位置決めするのが望ましい他の任意の吸収性物品であってもよい。
【００１１】
生理用ナプキン１０は、２つの末端領域１２及び１４と、中間領域１６とを有する。生理用ナプキン１０は、ユーザの身体と接触する身体面側１５と、ユーザの下着の内側表面と接触する衣類面側１７とを有する。一般に、生理用ナプキン１０の各構成要素の層は、身体面側及び衣類面側を有すると言われ、これらの側は、物品の使用に関する配向によって決定されてもよい。生理用ナプキン１０は、縦方向中心線Ｌ及び横方向中心線Ｔを有し、これらの線は、図１に示されるように平坦な形状であるときの生理用ナプキンの平面において互いに垂直である。１つの実施形態では、生理用ナプキンは、縦方向軸線Ｌ及び横方向軸線Ｔの両方について、概ね対称である。しかし、他の実施形態では、生理用ナプキン１０は、どちらの軸線について非対称であってもよい。
【００１２】
生理用ナプキン１０は、当該技術分野において既知の任意の形を有してもよく、１つの好ましい形が図１に示され、ほぼ「砂時計」形であり、末端領域の１つの一部分における比較的広い横方向の幅から、中央領域での比較的狭い横方向の幅まで、内側に先細になっている。横方向の幅は、概ね、物品を横切る寸法として画定され、横方向中心線Ｔに平行に測定される。下記に更に十分に説明されるように、生理用ナプキンはまた、ユーザの下着のクロッチ領域でパンティーの弾性体の上に折り畳まれ、それを覆うことを意図する、「フラップ」又は「ウイング」（図１に示されず）として当該技術分野において一般に既知である横方向延伸部も備えてもよい。
【００１３】
生理用ナプキン１０は、吸収性コア２０を有し、使用中に排泄された体液を吸収し、そして収容することができる。吸収性コア２０は、当業者に周知の材料のいずれから形成されてもよい。そのような材料の例には、多層の縮みセルロース詰め物、毛羽立てられたセルロース繊維、エアフェルトとしても既知である木材パルプ繊維、織られた繊維、繊維の混合物、繊維の塊又は芯、高分子繊維のウェブ、及び高分子繊維の混合物が挙げられる。
【００１４】
１つの実施形態では、吸収性コア２０は比較的薄く、厚さ約２ｍｍ未満、好ましくは約１ｍｍ未満、より好ましくは厚さ約０．５ｍｍ未満であってもよい。厚さは、当該技術分野において既知の、測定するための任意手段で測定されてもよい。吸収性コアは、当該技術分野において既知であるような、吸収性ゲル材料（ＡＧＭ）の繊維を包含する吸収性ゲル材料を含んでもよい。
【００１５】
吸収性コア２０は、ある形に成形又は切断されて、その外側縁部がコア周辺部３０を画定してもよい。吸収性コア２０の形は、一般に矩形、円形、卵形、楕円形などであってもよい。吸収性コア２０は、縦方向中心線Ｌ及び横方向中心線Ｔに関してほぼ中央にあってもよい。
【００１６】
吸収された排泄物が、着用者の衣類に接触するのを防ぐために、生理用ナプキン１０は、液体不透過性バックシート２２を有してもよい。生理用ナプキン１０の衣類面側に、ある程度の柔軟性及び蒸気透過性を提供するために、バックシート２２は、生理用ナプキン２０の衣類面側の蒸気透過性外側層であってもよい。バックシート２２は、当該技術分野において既知の任意の蒸気透過性材料から形成されてもよい。バックシート２２は、ミクロ孔質フィルム、孔あき成形フィルム、又は蒸気透過性であるか若しくは蒸気透過性にされた、当該技術分野において既知であるような他のポリマーフィルムを含んでもよい。適した１つの材料は、疎水性であるか、又は疎水性にされて、ほぼ液体不透過性である不織布ウェブなど、柔軟で、滑らかで、従順な蒸気透過性材料である。不織布ウェブは、快適さのための柔軟性及び適合性をもたらし、また低雑音性であるので、動きによる不必要な音を出さない。
【００１７】
身体の最も近くに柔軟性をもたらすために、生理用ナプキン１０は、身体に面する層を有してもよく、この層は本明細書ではトップシート２６と称される。トップシート２６は、人間の皮膚に快適で、また膣の排泄物などの流体が通過できる、柔軟で、滑らかで、従順な任意の多孔質材料から形成されてもよい。トップシート２６は、繊維性不織布ウェブを含んでもよく、また２成分の成形した繊維を包含する、当該技術分野において既知であるような繊維を含んでもよい。トップシート２６はまた、孔あきフィルムなど、液体透過性ポリマーフィルムであるか、又はオールウェイズ（ALWAYS）（登録商標）の銘柄の生理用ナプキンなど、生理用ナプキン上の、既知であるような孔あき成形フィルムであってもよい。
【００１８】
トップシート２６及びバックシート２２の少なくとも片方、好ましくは両方は、ある形を画定し、その縁部が生理用ナプキンの外側周辺部２８を画定する。好ましい実施形態では、トップシート２６及びバックシート２２の両方は、生理用ナプキンの外側周辺部２８を画定する。これら２層は、例えば、全ての構成要素を、本明細書で説明されるような生理用ナプキンの構造体に組み合わせた後に、当該技術分野において既知であるように打ち抜かれてもよい。
【００１９】
流体透過性第２トップシート２４が、吸収性コア２０とトップシート２６との間に配置されてもよい。第２トップシート２４は、流体の迅速な獲得及び／又は分配を助けてもよく、また好ましくは、吸収性コア２０と流体連通である。１つの実施形態では、第２トップシート２４は、吸収性コア２０を完全には覆わないが、コア周辺部３０まで延出してもよい。
【００２０】
１つの実施形態では、吸収性コア２０は、トップシート２６又はバックシート２２のいずれかと同程度まで横方向外側に延出しないが、生理用ナプキンの外側周辺部２８は、実質的にコアの外側周辺部３０より大きくてもよい。この方法では、コア周辺部３０と生理用ナプキン外側周辺部２８との間の生理用ナプキン１０の領域は、通気性ゾーン３２を画定し、このゾーンによって、着用時に蒸気が生理用ナプキンの一部分を通過し、その結果、蒸気が逃げて、より乾燥した快適性がもたされてもよい。通気性ゾーンと、通気性ゾーンを有する生理用ナプキンは、米国特許出願１０／７９０，４１８（２００４年３月１日出願）の教示に従ってもよい。
【００２１】
当該技術分野において既知であるように、全ての構成要素は、ホットメルト接着剤を包含する接着剤で合わせて接着されてもよい。接着剤は、フィンドレイ（Findlay）Ｈ２１２８ＵＮであってもよく、またダイナファイバー（Dynafiber）ＨＴＷシステムを使用してサバレ（Savare）のＰＭ１７が塗布されてもよい。
【００２２】
生理用ナプキンなどに典型的であるように、本発明の生理用ナプキン１０は、バックシート２２の衣類面側１７に配置されたパンティー固定用粘着剤３２を有してもよい。パンティー固定用粘着剤３２は、この目的のために当該技術分野において使用される任意の既知の接着剤であってもよく、また当該技術分野において周知であるように、使用前に剥離紙で覆われていてもよい。
【００２３】
上記の開示は、当該技術分野において既知であるような生理用ナプキンなど、女性用衛生物品の基本部分を一般的に説明することを意味する。この説明は、限定することを意図していない。特定の用途の効果のために所望されるか又は必要とされるとき、様々な既知の要素のいずれか及び全てと、既知の生理用ナプキン、パンティライナー、失禁用パッドなどの機構及び方法とが、本発明の吸収性物品に組み込まれてもよい。次に、残りの開示に関し、本発明の新しい機構及び効果が説明される。
【００２４】
図１に示されるように、本発明の吸収性物品は、身体側表面１５から目視できる少なくとも１つの指標マーカー３４を有する。指標マーカー３４は、着用者のパンティーなど、下着内に生理用ナプキン１０を配置及び位置決めするとき、適切に適合するための指示を提供する。指標マーカー３４は、インクジェットで印刷した線若しくは線分など、印刷したしるし、エンボス（凸型押し）になった隆起部若しくは出っ張り、折り目、プリーツ、又は指標マーカー３４であることの機能を果たす目視できる指示を提供するための、当該技術分野において既知の他の任意手段を含んでもよく、その機能は、ユーザが下着内で物品の適切な配置を決定するのを助けることである。特に、図３に示されるように、指標マーカー３４は、下着３９など、下着の特定機構に関する吸収性物品の適切な配置を示すように配置されてもよい。例えば、下着３９のクロッチ部分３８は、それに関連するシーム３７を有してもよく、また湾曲した脚開口部３５の伸縮性のある脚弾性体３６により、両側が境界付けられる。
【００２５】
指標マーカー３４は、身体側表面１５から目視できるように配置されて、下着内の適切な位置決めに関して、ユーザに指示が行われてもよい。下着は、典型的には、縫ったシーム、縁縫いした縁部、伸縮性脚開口部、追加のクロッチパネル材料、及び指標マーカー３４と位置合わせするために使用されてもよい、目視できる他の明瞭な部分など、下着の特定機構を有する。それ故に、本発明の幾つかの実施形態では、指標マーカー３４は、着用者のパンティーのクロッチパネルのシーム３７など、縫ったシームとの位置合わせを示すように配置されてもよい。クロッチパネルは、例えば、パンティー型の下着３９のクロッチ部分３８に縫い込んだ綿材料の追加片であってもよい。しかし、好ましい実施形態において、指標マーカー３４は、下着の脚弾性体３６に関する生理用ナプキンの位置合わせ及び適合を示すように配置され、それが下記に更に十分に説明される。
【００２６】
図３は、パンティー３９のクロッチ部分３８に適切に位置決めされたときに見られるような生理用ナプキン１０の外側周辺部２８を示している。図３に示される生理用ナプキン１０は、本発明の物品の一例であり、下着の脚開口部の縁部を包むことを意図するフラップがない。図３に示されるように、生理用ナプキン１０がパンティーのクロッチ領域３８に適切に配置されるとき、脚弾性体３６など、脚開口部３５を画定するパンティー３９の部分は、生理用ナプキン１０の一部分の下に位置してもよい。生理用ナプキン１０を適切に配置及び位置決めするのを助けるために、１つの実施形態では、指標マーカー３４は、下着３９の脚開口部３５の湾曲に関する吸収性物品１０の適切な位置合わせを示すように配置されてもよい。
【００２７】
図３に示されるように、指標マーカー３４は、下着内の物品の適切な配置の視覚的な指示をユーザに与えるように配置されてもよい。パンティーの脚開口部の脚弾性体の実際の湾曲は、物品１０の横方向軸線Ｔについて非対称であってもよいので、１つの実施形態では、指標マーカー３４は、パンティーの脚開口部に対するその位置に基づく大きさ及び配向において異なってもよい。例えば、図３では、指標マーカー３４Ａは、脚開口部の前部又は「前側」部分（すなわち、着用者の前側により近い脚開口部の部分）と関連してもよい。同様に、指標マーカー３４Ｂは、脚開口部の後部又は「後側」部分と関連してもよい。
【００２８】
下着の型は大きく異なってもよく、またパンティーなど、下着の型が、下着のクロッチ部分３８を限定する脚開口部３５の湾曲に影響を及ぼしてもよい。この理由のために、生理用ナプキン１０など、吸収性物品は、図３の寸法４０で示されるような長さの方向において、また図３の寸法４２及び４４で示されるような幅の方向において、指標マーカー３４の位置を変えることにより様々なパンティーの大きさについて設計されてもよい。寸法４２及び４４は、異なっても、又はほぼ同じでもよい。寸法４２及び４４は、任意の適切な方法で測定されてもよく、それは、「内側から内側まで」（横方向中心線Ｔに横方向に平行に測定される、マーク間の最小寸法）、「外側から外側まで」（横方向中心線Ｔに横方向に平行に測定される、マークを含む最大寸法）、又は指標マーカーのタイプに最も適切であるような「中心から中心まで」などである。１つの実施形態では、内側間で測定された最小寸法は、２０ｍｍであってもよく、内側間で測定された最大寸法は、８５ｍｍであってもよく、また内側間の寸法は、最小と最大の間で１ｍｍずつ増加する任意の測定値であってよい。例えば、「ひも」型パンティーでは、指標マーカー３４Ｂを約２０ｍｍの最小内側間寸法で分離させるのが望ましいことがある。
【００２９】
１つの実施形態では、指標マーカー３４は、概ね細長い形であり、またほぼ線状であっても、又は僅かな湾曲を有してもよい。例えば、図３に示されるように、指標マーカー３４は、ほぼ線状の形の矩形のマーク又は線分であってもよい。指標マーク３４は、印刷、鍛造、型押し、折り目、又はユーザに適切な位置合わせを示す視覚的な若しくは触覚的でさえある印象を作る他の任意の既知の方法で作製されてもよい。ほぼ線状のマークの場合、そのようなマークは、縦方向中心線Ｌに対して角度をなしてもよい。角度は、全ての指標・マークについて同じであってもよく、又は前方の指標マーク３４Ａと後方の指標マーク３４Ｂとで異なる角度が使用されてもよい。図３に示されるように、前方の指標マーカー３４Ａは、縦方向中心線Ｌから角度αで傾斜してもよく、また後方の指標マーカー３４Ｂは、縦方向中心線Ｌから角度βで傾斜してもよい。本明細書で使用するとき、全ての角度の測定値は、正符号でとられ、縦方向中心線Ｌに平行な線から離れて増加し、また横方向中心線Ｔに近い方に向いた頂点を有する。角度αは、約５°から約４５°までの範囲で、１°間隔で傾斜してもよい。同様に、角度βは、約５°から約４５°までの範囲で１°間隔で傾斜してもよい。
【００３０】
本発明の指標マーカー３４は、横方向中心線Ｔ若しくは縦方向中心線Ｌのいずれかについて非対称である吸収性物品の上、及び／又は下着３９の脚弾性体３６付近で折り畳むためのフラップを組み込む吸収性物品の上に組み込まれるとき、特に有益である。
【００３１】
図４は、フラップ１５を有する生理用ナプキン１０を示し、フラップ１５は、脚弾性体の上に折り重なってこれを包むことを意図している（図４のフラップ１５は、折り畳まれない平坦な状態で示されている）。フラップ１５は、当該技術分野において既知であるように、生理用ナプキンを下着の下面に貼付するための取り付け手段（示されず）を有してもよい。当該技術分野において既知の様々な取り付け手段のいずれが、本発明と共に使用されてもよく、それには、感圧性接着手段が挙げられ、その場合、剥離ストリップも同様に組み込まれてもよい。脆弱線又は可撓性ゾーンを作製して、生理用ナプキンのフラップの折り目を容易にすることが既知である。しかし、そのような折り目線は、本発明の指標マーカー３４と混乱されるべきではない。折り目線（消費者によって気付かれる場合）は、単に、広範囲の大きさ及び型のパンティーの近くで折り畳むのを可能にするために作製されているものの、適切な配置及び位置決めのための適合ガイドであるように必ずしも十分に成形、配置されていない、ないしは別の方法では、設計されていない。それ故に、折り目線が、生理用ナプキンの不正確な配置及び位置決めを可能にするので、折り目線は指標マーカー３４ではない。幾つかの実施形態では、本発明の指標マーカー３４は、フラップの折り目線に付加され、そして折り目線の上で区別されてもよい。すなわち、指標マーカー３４は、フラップ用の任意の折り目線より上で視覚的に又は触覚的に明瞭であってもよい。
【００３２】
図４はまた、横方向中心線Ｔについて非対称である生理用ナプキン１０も説明している。そのような生理用ナプキン１０を説明する１つの方法は、末端領域１２又は１４の一方が、縦方向中心線Ｌに平行な寸法において長いことを述べることである。そのような生理用ナプキンは、下着内に適切に配置されるとき、結果として、吸収能力のより多くが、ユーザの下着の後部の方にあって、汚れをより良好に防いでもよい。一般に、中央領域１６は、ユーザの下着のクロッチ領域の最も狭い部分に配置されるように設計される。しかし、非対称のデザインは、ユーザに問題を提供する。パッドは、横方向中心線Ｔがクロッチ領域３８の中央にあるように設計されていないので、ユーザは、自分の下着内で物品を非常に容易に置き間違うことがある。一般に、図４に説明される型の非対称の生理用ナプキンでは、ユーザは、典型的には、自分の下着内で物品をあまりにも前方に位置決めすることが判明した。これは習慣によるものであると考えられるが、それは、パッドが下着のクロッチの中央部分に対してほぼ中央にあるように、典型的にユーザが吸収性物品を配置するからである。そのような置き間違いは、適合性の低減、快適性の低減、及びユーザの下着のしみなどの汚れた状態の増加と直接相関関係があることが示される。
【００３３】
本発明の指標マーカー３４は、下着のクロッチ部分に対する適切な位置決めの視覚信号をユーザに与えることにより、適切な配置を助ける。特に、非対称の生理用ナプキンでは、そのような視覚信号は、生理用パッドのユーザの間で、適切な配置の頻度を大きく増加させることが判明した。図４に示されるように、また図５に示される拡大部分でより明瞭に示されるように、指標マーカー３４は、生理用ナプキン１０上にあって脚弾性体３６の湾曲に対する適切な位置決めを示すことができる。各指標マーカー３４は、図４及び図５に示される３本の線分など、複数の線状指標を含んでもよく、さらに複数の線状指標は互いにほぼ平行であってもよく、又は図５に示されるように平行でなくてもよい。指標マーカー３４の個々のマークが平行でないとき、各マークは、縦方向中心線Ｌから測定した距離の増加に比例して大きくなる角度で傾斜してもよい。そのような場合、複数のマークの角度αは、１つの指標マーカー３４を構成する所定の複数の指標マークの角度の平均値であると考えられてもよい。
【００３４】
図５に示されるように、指標マーカー３４Ａ（また、一般的に、指標マーカー３４）は、単一のマーク（又はエンボス（凸型押し）、折り目、プリーツなど）であっても、又は複数の個々のマークであってもよい。いずれの場合も、指標マーカー３４は、少なくとも２つの方法で測定され、また表示されてもよい。図５に示されるように、指標マーカー３４は、５０として示される長さ寸法と、５２として示される幅寸法とを有してもよい。これらの寸法は、縦方向中心線Ｌ及び横方向中心線Ｔ、各々に平行に、指標マーカー３４（必要な場合、個々のマークを含む）の先端部まで測定され、角度α（又は後方の指標マーカー３４Ｂではβ）と、１／タンジェントαとして画定される長さ５０／幅５２の割合Ｒ１とを画定する。平行でない、「扇形に広げた」マーク（又はプリーツなど）では、図５に示されるように、角度αは、全てのマークの平均角度など、中間の角度と一致してもよい。１つの実施形態では、割合Ｒ１は、１より大きくてもよく、また２、３、４、５、１０、１５より大きくても、又はそれより大きくてもよい。一般に、適切な適合ガイダンスに必要な角度αは、物品の大きさと、縦方向軸線又は横方向軸線のどちらかについての物品の対称性と、物品が設計される下着の型及び大きさとにより決定される。角度が１°ずつの増加単位で変化する、約１０°〜約３０°の角度α（又は後方の指標マーカー３４Ｂではβ）が、十分であることが判明した。図５に示されるように、「扇形に広げた」マーク（又はプリーツなど）を有する１つの実施形態では、角度α又はβは、個々のマーク各々について、約１０°から約３０°まで変化してもよい。
【００３５】
指標マーカー３４の配置を表す第２の方法が、図６及び図６Ａに関して示されている。示されるように、有効長さ寸法は、５１として示され、また有効幅寸法は５３として示される。この方法で測定されて、寸法５１／寸法５３の第２の割合Ｒ２が画定されてもよい。割合Ｒ２を画定すると、指標マーカー３４は割合Ｒ２と無関係に決定された角度θとで特定することができる。一般に、割合Ｒ２は１より大きくてもよく、さらに２、３、４、又は５より大きくてもよい。角度θは、縦方向中心線Ｌに平行な線と、指標マーカー３４の横方向外側の最初のマーク（又はプリーツ）とに対して測定された角度、少なくとも約１０°であってもよく、それが図６Ａに示されている。角度θは少なくとも約１５°、少なくとも約２０°、少なくとも約２５°、及び少なくとも約３０°であってもよい。好ましくは、角度θは、約４５°未満である。
【００３６】
一般に、約２〜５の比較的高い割合Ｒ１又はＲ２と、約１０°〜約３０°の比較的低い角度α若しくはβ、又はθを有する指標マーカー３４は、広範囲のパンティーの大きさに適した指標マーカー３４を有する吸収性物品を提供することが判明した。図５及び図６に示されるように、角度を付けた複数のマークが使用される場合、最小角度及び最大角度（α若しくはβ又はθ）は、前方の指標マーカー３４Ａでは、約１５°〜約３０°の範囲内にあり、また後方の指標マーカー３４Ｂでは、約１０°〜約２０°の範囲にあることが望ましい。一般に、長さ寸法４０又は幅寸法４２若しくは４４に対することを包含する指標マーカー３４の配置は、予め定められたパンティーの大きさに対応して変化してもよい。
【００３７】
図６及び図７に示されるように、指標マーカー３４は脚弾性体３６に対する適切な位置合わせを示すことにより、生理用ナプキン１０が下着内に適切に位置するための適合ガイドとして役立つことがある。図６に示されるように、適切に位置決めされた生理用ナプキン１０では、指標マーカー３４は脚弾性体３６と位置合わせし、脚弾性体３６は生理用ナプキン周辺部２８と交差する。この方法では、視覚信号により、ユーザは下着３９のクロッチ部分３８、例えば、下着３９のクロッチ部分３８の側面部分５５に対して生理用ナプキン１０を適切に位置決めしてもよい。生理用ナプキン１０が不適切に位置決めされた場合、例えば、図７に示されるようにあまりにも前方に位置決めされた場合、指標マーカー３４はもはや脚弾性体３６と位置合わせしない。ユーザは、間違って位置合わせしたことに気付いて、必要な場合、次にその生理用ナプキンを再度位置合わせしてもよい。複数のマーク又は折り目から構成される指標マーカー３６を有することによって、適切な配置の範囲が提供され、その結果、生理用ナプキンがある範囲の下着の大きさ及び型に適合するのが可能になる。
【００３８】
同様に、図６及び図７に示されるように、生理用ナプキン１０は、前方の指標マーカー３４Ａ及び後方の指標マーカー３４Ｂの両方を備える必要はない。実際には、前方の指標マーカーか又は後方の指標マーカーだけが必要である。事実、機能する生理用ナプキンは、１つの指標マーカー３４、例えば、前方の指標マーカー３４Ａ及び後方の指標マーカー３４Ｂのどちらかの左側又は右側の片方だけを有する必要がある。しかし、１つより多いマークを有すると、ユーザにとって位置決めがより容易になると考えられる。
【００３９】
図８〜図１１に示されるように、指標マーカー３４は、生理用ナプキン１０の身体側表面から目視できる表面に印刷されてもよい。指標マーカー３４は、下着内に物品を配置及び位置決めする間にユーザが目視できる限り、トップシートより下の表面に印刷されてもよい。それ故に、指標マーカー３４は、印刷されてもよく、ないしは別の方法では、第２トップシート、サージ（ゆるみ）層、獲得層、吸収性コアなどの上に配置されてもよい。指標マーカー３４は、線、線分、湾曲した線、バンド、矢印、ことば、絵画、又は適合ガイドの指示を提供する目的を有する他の任意の印刷したしるしとして形成されてもよい。また、視覚的なしるしは、身体接触面に印刷される必要はないが、身体接触面から目視できて、ユーザが、生理用ナプキン１０を自分の下着３９内に配置する時に指標マーク３４を目視できることだけは必要である。
【００４０】
図８及び図９に示されるように、指標マーカー３４は、物品より下の、下着の弾性体があるべき場所を視覚的に表示することによって、その弾性体が行くべき場所の指示を提供してもよい。図９は、指標マーカー３４が配置されて、縫い込んだクロッチパネルのシームなど、下着のシーム３７の上に重なる実施形態を示している。シーム３７の上に重なる指標マーカー３４は、単独で使用されても、又は図９に示されるような他の指標マーカー３４と組み合わせて使用されてもよい。
【００４１】
図１０は、脚弾性体３６が生理用ナプキン１０より下にある４つの位置全てで、連続する１つの指標マーカー３４が指示を提供し、その結果、適切な適合の効果を生じてもよい実施形態を示している。図１０の指標マーカー３４は、フラップ、使用される場合、を含む物品全体を横切って延出する、彩色した固体のバンドであってもよい。あるいは、図１０の指標マーカー３４は、彩色した連続するバンドである印象を与える、濃淡のある、縞状の、点描の、又は他の不連続なバンドであってもよい。１つの実施形態では、図１０に示されるようなバンドの「角」は、下着３９の脚弾性体３６の上を横切る物品の縁部と並んでもよい。
【００４２】
図１１は、印刷した矢印が物品１０の下の、シーム３７が横切る箇所を示す実施形態を示している。１つの実施形態では、多数の指標マーカー３６が使用され、また適切にしるしをつけられて、様々な大きさの下着への適合を伝えてもよい。
【００４３】
印刷したマークを指標マーカー３４として使用するよりも、本発明の物品は、他の視覚的しるし又は触覚的しるしを使用してもよい。例えば、指標マーカー３４はフラップ１５上の様々に延伸性のあるゾーンであってもよく、これらは、ＰＣＴ国際公開特許ＷＯ９７／１２５７７（ラッシュ（Lash）ら、１９９７年４月１０日発行）、又はＰＣＴ国際公開特許ＷＯ９６／１２４６１（ゲリッヒ（Gellich）ら、１９９５年１０月１９日発行）に教示されている。様々に延伸性のあるゾーンは、生理用ナプキンの一部分に機械的に歪みを与え、恒久的に拡張して、隆起部分及び谷部分に変形させることにより形成される。このような歪みを与えることは、リングロールと一般に称される方法によってもよく、又は歪みを与えた区域は、当該技術分野においてＳＥＬＦ（構造的に弾性様フィルムで覆う）と称される方法により作製された局所的な歪み可能な網状組織であってもよい。しかし、これらの実施形態は、本発明の指標マーカー３４として使用するのに適さない構成を有する延伸性のあるゾーンを示している。一般に、延伸性のあるゾーンに適する変形された領域は、ウイング領域内まで横方向外側に延出し、その結果、信頼できる適合ガイドを提供しない。
【００４４】
指標マーカー３４であるように変性された変形した領域が、下着のクロッチ領域において脚弾性体付近でウイングを包み、またそれに順応するのを助ける延伸性のあるゾーンであっても、指標マーカー３４が拡張又は延伸の機能を行って、フラップを包むのを助けて、より良好に下着に順応する必要がないことは明白である。指標マーカーは、適切に角度を付けた隆起部を有する、及び着用時に適切な大きさの下着内でパンティーの弾性体と位置合わせするのに十分な長さなど、単に、適切な適合の視覚的な指示を提供する必要がある。
【００４５】
印刷したマークとは別に、他の指標マーカー３４が使用されてもよい。例えば、図１２及び図１３に示されるように、ノッチ又はくぼみが、他の指標マーカー３４と共に使用されてもよい。図１２では、フラップ１５のノッチは、例えば、下着３９のクロッチ部分３８の中心が、生理用ナプキン１０に対してあるべき場所を「指す」ことにより示してもよい。そのようなポインター（指すもの）は、例えば、印刷した指標マーク３４により示されるような正確な配置をユーザの心の中で補強して、パンティーの弾性体３６との交差箇所にしるしをつけてもよい。図１３では、脚弾性体３６が、生理用ナプキン１０に対して配置されるべき場所の指示をユーザに与えることにより、フラップ１５の基部のノッチは、ウイング１５の印刷した指示と共に、指標マーカー３４として機能してもよい。
【００４６】
他の実施形態、例えば、図１４に示されるように、中央に印刷したマーク、シームの指標マーク、及びノッチの組み合わせが使用されてもよい。図１４に示されるように、影付きの円形など、中央に配置したしるしが、指標マーカー３４として作用してもよく、またそれが単独で使用されても、又は示されるように、他の指標マーカーと共に使用されてもよい。
【００４７】
図１５は、線、ことば、及び数の形の印刷したしるしを使用する実施形態を示している。この実施形態では、脚開口部の典型的な形と、様々な大きさの下着のクロッチの幅とに対応する指標マーカー３４の一連の線が、提供されてもよい。例えユーザの下着が、提供される指標マーカー３４と正確に合わなくても、そのような配置は、吸収性パッドの中央領域についての視覚信号をとにかく提供するものであり、また下着３９のクロッチ部分３８に対してそのような中央領域を適切に配置するために使用されてもよい。
【００４８】
図１７及び図１８は、本発明の別の実施形態を説明し、この形態では、型押しと、印刷又は色彩を付与するために当該技術分野において既知の他の方法とを組み合わせて、指標マーカー３４を作製する。図１７に示されるように、生理用ナプキン１０は指標マーカー３４を備え、指標マーカー３４は複数のエンボス（凸型押し）を備え、エンボス（凸型押し）は一緒になってほぼ線状の指標マーク３４を形成する。図１８に示されるように、エンボス（凸型押し）になった圧痕の１つ以上、好ましくはエンボス（凸型押し）になった全ての凹部は、その中に目視できる色彩４６を有してもよい。目視できる色彩は、エンボス（凸型押し）と重ね合わせて印刷されてもよく、又はエンボス（凸型押し）が作製されるのと同時に印刷されてもよい。色彩４６は、印刷インクによっても、又は彩色した接着剤によってもよい。色彩４６はまた、トップシートの下、別個の層上（どちらも図１８に示されていない）にさえあってもよく、エンボス（凸型押し）をすると、色彩４６は、エンボス（凸型押し）になった部分を通して見え、その結果、エンボス（凸型押し）になった指標マーカー３４と重ね合わせて印刷された外観を与える。
【００４９】
図１９及び図２０は、更なる実施形態を説明し、この形態では、印刷とエンボス（凸型押し）が一緒に行われる。図１９に示されるように、指標マーカー３４は、蝶などの認識可能な画像であって、画像は、生理用ナプキン１０と脚弾性体３６との交差点と一致する蝶の羽の先端部など、適合を示す構成要素を有してもよい。図２０に示されるように、画像の一定の特徴は、印刷した画像において、目視できる彩色部分４６を印刷することにより彩色されてもよく、その画像は、エンボス（凸型押し）（説明される実施形態の羽のように）、又はデボス（凹型押し）（すなわち、説明される実施形態の蝶の胴体のように、隆起した部分を作る）により強調されてもよい。図１７及び図１８に関して説明されたように、彩色部分４６は、印刷、又は色彩を付与するための当該技術分野において既知の他の方法により作製され、エンボス（凸型押し）になった領域又はデボス（凹型押し）になった領域と重ね合わされて、使い捨て吸収性物品における適合ガイドとして有用な指標マーカー３４の相乗作用的な画像をもたらしてもよい。
【００５０】
適合ガイドのエンボス（凸型押し）になった部分及びデボス（凹型押し）になった部分は、触感を提供し、同様に適合ガイドとして使用されてもよい。例えば、ユーザは、生理用ナプキンの縁部にそっと触れ、そしてエンボス（凸型押し）の線をたどりつつ、例えば、脚弾性体３６が自分の指がさわった経路をたどることを視覚的に理解してもよい。別個ではあるが関連する効果では、図１９の蝶など、画像のデボス（凹型押し）になった又は隆起した部分は、触覚的に明確な位置決めガイドをユーザに提供することにより、適切な適合を評価するのを助けてもよい。隆起した部分は、例えば、着用者の身体の陰唇領域の上又は内に適合するように作製されてもよく、また下着を適所に引っ張ると、置き間違いが、即座に検出されてもよい。
【００５１】
別の実施形態では、適合ガイドは、触覚的に感知されるだけである、すなわち、視覚的に感知されない指標マーカーを有することにより実現されてもよい。そのような触覚的な適合ガイドは、表面の平滑度の変化、摩擦係数の変化、又は材料特性において触覚的に感知される他の変化により、指標マーカー３４として役立ってもよい。一般に、材料特性における変化は、位置において、本明細書で開示されるような目視できる指標マーカー３４と一致してもよい。
【００５２】
別の実施形態では、適合ガイドは、生理用ナプキン１０のフラップ１５の曲げ剛性における変化によって示す指標マーカー３４を有することにより実現されてもよい。この実施形態では、指標マーカー３４と一致する、先に開示された実施形態で示された領域は、下着３９の脚弾性体３６付近の曲げに対して比較的低い抵抗性を有してもよい。生理用ナプキンが下着内で正確に位置決めされないとき、フラップを下着のクロッチ部分の上に折り畳もうとすると、ユーザは、曲げに対する抵抗を感じてもよい。例えば、フラップ１５は、比較的硬いので、下着３９の脚弾性体３６の経路に対応する、生理用ナプキン１０との接合線付近以外で、曲げに抵抗してもよい。
【００５３】
縦方向軸線又は横方向軸線のどちらについても対称でない生理用ナプキン（又はパンティライナー）の例が、図２１に示されている。図２１は、いわゆるソング、又はひもパンティーのクロッチ部分用に設計され、またクロッチ部分内で着用される生理用ナプキン１０を示している。非常に狭いクロッチの幅は、重なり合いを回避するために互いにずらして使用される場合、フラップ１５を必要とする。示されるように、指標マーク３４、この場合、印刷し、彩色し、様式化した「Ｖ」が、前方の脚弾性体３６に関する適切な配置及び位置決めを示してもよい。
【００５４】
上述の指標マーカーの多くの変形が考察される。例えば、生理用ナプキンが適切に配置され、そして着用された時に、冷却して気分を爽快にする感覚をユーザにもたらすために、指標マーカーは、メントールラクテートなど、感覚認知剤を十分な量で含んでもよい。指標マーカーは、インクで印刷するよりも、指標マーカーであることを意図する領域で材料が変性されて、反映する異なる指標を有するか、又は透明でさえもあるように作製されてもよい。同様に、インクの代わりに、彩色した材料を適切な場所に添加することによって色彩が加えられてもよく、彩色した材料は、追加のフィルム、不織布、又はにかわ及びホットメルト接着剤を包含する接着剤であってもよい。そのような色彩は、ユーザが自分の下着内で生理用ナプキンを位置決めする時にユーザが目視できる限り、生理用ナプキンの任意の構成要素の中又は上に加えられてもよい。
【００５５】
１つの実施形態では、本発明の使い捨て吸収性物品は、１つずつ包装されても、又は他の同様の物品と共にパッケージの中にあってもよい。パッケージには、物品が適合することを意図する下着の大きさと、使用の説明、すなわち、吸収性物品を下着内に適切に配置及び位置決めする方法とに関する貼り紙をしてもよい。
【００５６】
本発明の生理用ナプキンは、本明細書で説明される方法に従って使用されてもよい。先ず、意図される下着の大きさで区別される生理用ナプキンの選択がある場合、ユーザは、自分が着用する下着の大きさ用の生理用ナプキンを選択してもよい。
【００５７】
下着は着用されているが、ユーザの脚のまわりで引っぱり下ろされて、そのクロッチ部分が目視でき、また接近可能である間に、ユーザが生理用ナプキンを自分の下着内に配置するのが好ましい。次に、ユーザは、存在する場合は、任意の個々の包みを含む包装から１個の生理用ナプキンを取り出してもよい。生理用ナプキンが感圧性接着性取り付け手段を備える場合、ユーザは、任意の裏のストリップ、剥離紙、又は他の覆いを取り除いて、接着剤を露出してもよい。
【００５８】
生理用ナプキンが包みから出される、開かれる、ないしは別の方法で配置の準備がされると、ユーザは、生理用ナプキンの上に設けられ、またその身体側表面から目視する（又は感じる）ことができる指標マークを観察し（又は、触知できる場合、感じ）、そして自分の脚で下着のクロッチ部分を広げ、また指標マークと下着のクロッチ部分とを目視で並べながら、例えば、脚弾性体が生理用ナプキンと接するか又は下に来る位置で、指標マークと、少なくとも１つの脚弾性体、好ましくは少なくとも２つの脚弾性体とを並べることにより、自分の下着内に生理用ナプキンを配置してもよい。ユーザが配置している間、脚弾性体は伸張しているので、生理用ナプキンの指標マーカーは、着用中よりも、配置中の脚弾性体の配向のために設計されてもよい。
【００５９】
配置は、生理用ナプキンの衣類面側の感圧性接着剤を露出し（剥離紙を取り除く、などにより）、そして生理用ナプキンを自分の下着のクロッチ部分に押し込む、などによる既知の方法で行われてもよい。
【００６０】
配置した後、ユーザは適切な位置決めを確認し、必要な場合、生理用ナプキンを取り外し、そして置き換えて、指標マークと下着のクロッチ部分とをより良好に位置合わせさせてもよい。この段階は、必要なだけ繰り返されてもよい。
【００６１】
生理用ナプキンがフラップを備えている場合、ユーザは次にフラップを下方に、下着のクロッチ部分の下へ折り目、また備えている場合、接着性取り付け手段など、備えた手段でフラップを下着に貼付してもよい。
【００６２】
衣類の汚れを最小化しつつ吸収性を最大化することにおいて最適に機能するように生理用ナプキンが適切に配置されたことを確信して、ユーザは次に自分の下着を引き上げてもよい。
【００６３】
ユーザが、指標マーカーを有する生理用ナプキンなど、吸収性物品を適切に位置決めするのを助けるために、すなわち、ユーザが適合ガイドとして指標マーカーを使用するのを助けるために、生理用ナプキンは、使用の説明を備えてもよい。使用の説明は、生理用ナプキンが販売される包装の上若しくは中に、関連する広告媒体若しくは展示媒体の上に、又は生理用ナプキン自体の上に設けられてもよい。説明は、包装の外側表面の上など、包装の上に印刷されても、又は包装の内側に配置された別個の紙の上に印刷されてもよい。パッケージは、複数個の吸収性物品を含んでもよく、また各吸収性物品は、当該技術分野において一般に既知であるように、個々に包まれても又は包装されてもよい。使用の説明は、文章及び絵画的なダイアグラムなど、しるしを含んでもよい。印刷した説明は、ユーザの下着の大きさに基づいて本発明の吸収性物品を選択するための説明を含んでもよい。
【００６４】
「発明を実施するための最良の形態」において引用される全ての文献は、その関連部分において本明細書に参考として組み込まれるが、いずれの文献の引用も、それが本発明に対する先行技術であることを認めるものと解釈されるべきではない。
【００６５】
本発明の特定の実施形態が説明及び記載されてきたが、本発明の精神及び範囲から逸脱することなく他の様々な変更及び修正を行えることが当業者には明白であろう。したがって、本発明の範囲内にあるそのようなすべての変更及び修正を、添付の特許請求の範囲で扱うものとする。
【図面の簡単な説明】
【００６６】
【図１】本発明の吸収性物品を部分的に切り取った平面図。
【図２】図１に示される２〜２の部分の断面図。
【図３】下着内に適切に位置決めされた、本発明の吸収性物品の平面図。
【図４】下着内に適切に位置決めされた、本発明の吸収性物品の別の実施形態の平面図。
【図５】本発明の指標マーカーの拡大詳細図。
【図６】適切に位置合わせされた本発明の吸収性物品の部分平面図。
【図７】不適切に位置合わせされた本発明の吸収性物品の部分平面図。
【図８】本発明の指標マーカーを有する生理用ナプキンの、別の様々な実施形態の説明。
【図９】本発明の指標マーカーを有する生理用ナプキンの、別の様々な実施形態の説明。
【図１０】本発明の指標マーカーを有する生理用ナプキンの、別の様々な実施形態の説明。
【図１１】本発明の指標マーカーを有する生理用ナプキンの、別の様々な実施形態の説明。
【図１２】本発明の指標マーカーを有する生理用ナプキンの、別の様々な実施形態の説明。
【図１３】本発明の指標マーカーを有する生理用ナプキンの、別の様々な実施形態の説明。
【図１４】本発明の指標マーカーを有する生理用ナプキンの、別の様々な実施形態の説明。
【図１５】本発明の指標マーカーを有する生理用ナプキンの、別の様々な実施形態の説明。
【図１６】本発明の指標マーカーを有する生理用ナプキンの、別の様々な実施形態の説明。
【図１７】本発明の指標マーカーを有する生理用ナプキンの、別の様々な実施形態の説明。
【図１８】本発明の指標マーカーを有する生理用ナプキンの、別の様々な実施形態の説明。
【図１９】本発明の指標マーカーを有する生理用ナプキンの、別の様々な実施形態の説明。
【図２０】本発明の指標マーカーを有する生理用ナプキンの、別の様々な実施形態の説明。
【図２１】本発明の指標マーカーを有する生理用ナプキンの、別の様々な実施形態の説明。
【図１】
2008500107.tif 000003
【図２】
2008500107.tif 000004
【図３】
2008500107.tif 000005
【図４】
2008500107.tif 000006
【図５】
2008500107.tif 000007
【図６】
2008500107.tif 000008
【図６Ａ】
2008500107.tif 000009
【図７】
2008500107.tif 000010
【図８】
2008500107.tif 000011
【図９】
2008500107.tif 000012
【図１０】
2008500107.tif 000013
【図１１】
2008500107.tif 000014
【図１２】
2008500107.tif 000015
【図１３】
2008500107.tif 000016
【図１４】
2008500107.tif 000017
【図１５】
2008500107.tif 000018
【図１６】
2008500107.tif 000019
【図１７】
2008500107.tif 000020
【図１８】
2008500107.tif 000021
【図１９】
2008500107.tif 000022
【図２０】
2008500107.tif 000023
【図２１】
2008500107.tif 000024
【国際調査報告】
2008500107.tif 000025
2008500107.tif 000026
2008500107.tif 000027